(57)【要約】【課題】清潔な状態をより容易に維持することができる便座装置を得る。【解決手段】局部洗浄装置２０を装置本体２１に備える便座装置３において、装置本体２１に回動自在に連結される便座２２の便座連結部３０を、装置本体２１の側面２４ａの側方に配置した。したがって、対峙面２８ａを容易に掃除することができる。【選択図】図１
2007259921.tif 000002
【特許請求の範囲】
【請求項１】
局部洗浄装置を有する装置本体と、
前記装置本体に設けられ当該装置本体の外面を構成するカバー部材と、
前記カバー部材において当該カバー部材の左右一対の側面に跨設され、便器に設けられたボウルの上方空間に対峙する対峙面と、
前記カバー部材の側面の側方に配置され前記装置本体に対して回動自在に連結された便座連結部を有し、開閉自在な便座と、
を備える便座装置。
【請求項２】
前記便座が開状態のときには、前記対峙面の左右の縁よりも前記便座連結部全体の方が、前記ボウルに形成された上開口から離間している請求項１に記載の便座装置。
【請求項３】
前記カバー部材の側面の側方に配置され前記装置本体に対して回動自在に連結された便蓋連結部を有し、閉状態で前記便座及び前記ボウルを覆う開閉自在な便蓋を備える請求項１又は２に記載の便座装置。
【請求項４】
前記便蓋が開状態のときには、前記対峙面の左右の縁よりも前記便蓋連結部全体の方が、前記ボウルに形成された上開口から離間している請求項３に記載の便座装置。
【請求項５】
前記便座と前記便蓋との回動軸心は、同一直線上に位置している請求項３又は４に記載の便座装置。
【請求項６】
前記便座内に配設された電気機器と、
前記便座を前記装置本体に対して回動自在とすると共に内部に前記電気機器用の配線が配索されている支軸と、
を備える請求項１ないし５のいずれか一つに記載の便座装置。
【発明の詳細な説明】
【技術分野】
【０００１】
本発明は、局部洗浄装置を備える便座装置に関する。
【背景技術】
【０００２】
従来、局部洗浄装置を備える便座装置は、局部洗浄装置が設けられた装置本体と、この装置本体に開閉自在に支持された便座などから構成されている。
【０００３】
このような装置本体の前面には、便器に設けられたボウルの上方空間に対峙する対峙面が形成されている。そして、この対峙面には、保持部が突設されており、この保持部の左右の端部に便座の便座連結部が回動自在に連結されている。保持部の幅は、対峙面よりも幅狭に形成されており、これにより、装置本体の対峙面の一部は、便座の便座連結部によって覆われている（例えば、特許文献１参照）。
【特許文献１】特開２００４−２０２１９９号公報
【発明の開示】
【発明が解決しようとする課題】
【０００４】
ところで、このような便座装置では、ボウルから跳ねた汚水が装置本体の対峙面に付着することがある。便座の便座連結部の裏側に位置する装置本体の対峙面に汚水が付着した場合には、便座連結部が邪魔になって、掃除が面倒であり、汚れが残存しやすいという問題がある。
【０００５】
そこで、本発明は、清潔な状態をより容易に維持することができる便座装置を得ることを目的とする。
【課題を解決するための手段】
【０００６】
請求項１に記載の発明の便座装置は、局部洗浄装置を有する装置本体と、前記装置本体に設けられ当該装置本体の外面を構成するカバー部材と、前記カバー部材において当該カバー部材の左右一対の側面に跨設され、便器に設けられたボウルの上方空間に対峙する対峙面と、前記カバー部材の側面の側方に配置され前記装置本体に対して回動自在に連結された便座連結部を有し、開閉自在な便座と、を備える。
【０００７】
請求項２に記載の発明は、請求項１に記載の便座装置において、前記便座が開状態のときには、前記対峙面の左右の縁よりも前記便座連結部全体の方が、前記ボウルに形成された上開口から離間している。
【０００８】
請求項３に記載の発明は、請求項１又は２に記載の便座装置において、前記カバー部材の側面の側方に配置され前記装置本体に対して回動自在に連結された便蓋連結部を有し、閉状態で前記便座及び前記ボウルを覆う開閉自在な便蓋を備える。
【０００９】
請求項４に記載の発明は、請求項３に記載の便座装置において、前記便蓋が開状態のときには、前記対峙面の左右の縁よりも前記便蓋連結部全体の方が、前記ボウルに形成された上開口から離間している。
【００１０】
請求項５に記載の発明は、請求項３又は４に記載の便座装置において、前記便座と前記便蓋との回動軸心は、同一直線上に位置している。
【００１１】
請求項６に記載の発明は、請求項１ないし５のいずれか一つに記載の便座装置において、前記便座内に配設された電気機器と、前記便座を前記装置本体に対して回動自在とすると共に内部に前記電気機器用の配線が配索されている支軸と、を備える。
【発明の効果】
【００１２】
請求項１に記載の発明によれば、便座の便座連結部が装置本体のカバー部材の側面の側方に配置されていることにより、便座連結部が装置本体の対峙面に設けられている場合に比べて装置本体の対峙面をより露出させることができるので、装置本体の対峙面を容易に掃除することができ、便座装置の清潔な状態をより容易に維持することができる。
【００１３】
請求項２に記載の発明によれば、便座が開状態のときには、対峙面の左右の縁よりも便座連結部全体の方が、ボウルに形成された上開口から離間していることにより、ボウルから跳ねた汚水が便座連結部にかかることを対峙面によって抑制することができるので、便座装置の清潔な状態をより容易に維持することができる。
【００１４】
請求項３に記載の発明によれば、便蓋の便蓋連結部が装置本体のカバー部材の側面の側方に配置されていることにより、便蓋連結部が装置本体の対峙面に設けられている場合に比べて装置本体の対峙面をより露出させることができるので、装置本体の対峙面を容易に掃除することができ、便座装置の清潔な状態をより容易に維持することができる。
【００１５】
請求項４に記載の発明によれば、便蓋が開状態のときには、対峙面の左右の縁よりも便蓋連結部全体の方が、ボウルに形成された上開口から離間していることにより、ボウルから跳ねた汚水が便蓋連結部にかかることを対峙面によって抑制することができるので、便座装置の清潔な状態をより容易に維持することができる。
【００１６】
請求項５に記載の発明によれば、便座と便蓋との回動軸心が同一直線上に位置していることにより、便座連結部と便蓋連結部との前後を共に露出させることができるので、便座連結部と便蓋連結部とを容易に掃除することができ、便座装置の清潔な状態をより容易に維持することができる。
【００１７】
請求項６に記載の発明によれば、支軸に配線が配索されていることにより、美観の向上が図られる。
【発明を実施するための最良の形態】
【００１８】
[第１の実施形態]
本発明の第１の実施形態を図１ないし図５に基づいて説明する。本実施形態は、便器装置に一体的に設けられた便座装置への適用例である。ここで、図１は、本実施形態にかかる便器装置を示す斜視図、図２は、便器装置を示す分解斜視図、図３は、便座装置を示す正面図、図４は、便座装置を示す分解正面図、図５は、便座装置の第１ピポッド部分を示す正面断面図である。
【００１９】
図１及び図２に示すように、本実施形態の便器装置１は、便器２と、この便器２の後部における上部に連設された便座装置３とから構成されている。
【００２０】
便器２は、便器部１１と、この便器部１１の後端に連設された樹脂製の後カバー１２とを備えている。便器部１１は、上方に開口する上開口１３が形成されこの上開口１３から排泄物を受け入れるボウル１４と、このボウル１４の外周を覆うスカート部１５と、を備えている。ボウル１４は、ボウル本体部１６と、このボウル本体部１６の上端部に設けられた環状のリム部１７とを備えた構成である。そして、ボウル本体部１６、リム部１７、スカート部１５は、別体の樹脂成形品であり、互いに溶着等によって接続されて、便器部１１を構成している。
【００２１】
リム部１７は、便器部１１の上面を構成しており、このリム部１７の後端には、便座装置３の後述する樹脂製の前部カバー２６が一体成形されている。即ち、リム部１７は、前部カバー２６とによって、単一の樹脂成形品を構成している。
【００２２】
次に、便座装置３を説明する。便座装置３は、装置本体２１、この装置本体２１に回動自在に連結されて開閉自在な便座２２及び便蓋２３を備えている。
【００２３】
装置本体２１は、人体の局部を温水で洗浄可能な局部洗浄装置２０を備えている。局部洗浄装置２０の筐体２４内には、局部洗浄装置２０の構成部品である温水タンクや、バルブ装置、制御回路部等（いずれも図示せず）が収納されていると共に、筐体２４の下部には、温水洗浄ノズル（図示せず）が装着されている。この局部洗浄装置２０の筐体２４は、装置本体２１の外面を構成するカバー部材としても機能している。
【００２４】
筐体２４は、筐体本体２５と、この筐体本体２５の前端に連設された後面開口の前部カバー２６とから構成されている。
【００２５】
前部カバー２６には、便器２のリム部１７の後縁から後方に延出して設けられた傾斜部２７と、この傾斜部２７の後縁に連設された立上げ部２８とが設けられている。
【００２６】
傾斜部２７には、後方斜め上方に向けて緩やかに傾斜した傾斜面２７ａが形成されており、この傾斜面２７ａは、傾斜面２７ａ上の汚水をボウル１４の上開口１３に導く。
【００２７】
立上げ部２８の前面は、筐体２４の左右一対の側面２４ａに跨設され、ボウル１４の上方空間に対峙する対峙面２８ａとなっている。詳しくは、この対峙面２８ａは、傾斜部２７の傾斜面２７ａの後縁から上方に立上げ形成されており、略鉛直方向に沿った面に形成されている。また、この対峙面２８ａは、その幅方向の中央部が後方へ凹まされて形成されている。この対峙面２８ａは、筐体２４の横幅方向の全域に亘って形成されている。また、対峙面２８ａと傾斜面２７ａとの接続部は、滑らかな曲面で形成されている。
【００２８】
また、対峙面２８ａの上縁には、後方へ延出する上面２８ｂが接続されている。また、前部カバー２６の左右の側面２６ａ（図面では、一方の側面のみが示されている）は、立上げ部２８及び傾斜部２７に亘って連続して形成されており、これらの側面２６ａは、筐体２４の側面２４ａ、即ち、装置本体２１の側面２４ａを構成している。
【００２９】
図１ないし図４に示すように、便座２２は、環状の座部２９と、この座部２９から突出形成された左右一対の便座連結部３０とを備えている。この便座２２は、伏せ状態（図示せず）となる位置であって該座部２９への使用者の着座を許容する閉位置と、起立状態となる位置である開位置（図１、図３及び図４）との間で回動自在に設けられている。具体的には、便座連結部３０が、装置本体２１部の両側部に設けられた左右一対の第１支持部３１に、支軸である第１ピポッド３２を介して軸支されている。左右の便座連結部３０は、装置本体２１の側面２４ａの外方にそれぞれ位置していると共に、便座２２が開位置に位置した状態においては、便座連結部３０全体は、装置本体２１の対峙面２８ａの左右の縁よりも後方に位置する。この構造によって、便座２２が開状態のときには、対峙面２８ａの左右の縁よりも便座連結部３０全体の方が、ボウル１４の上開口１３から離間した状態となる。
【００３０】
また、この便座２２は、電気機器であるヒータ（図示せず）を内蔵しており、図５に示すように、このヒータへ電力を供給する配線３３が装置本体２１から第１支持部３１及び第１ピポッド３２の内部を通ってヒータに接続されている。
【００３１】
また、図１ないし図４に示すように、便蓋２３は、蓋本体３４と、この蓋本体３４から突出形成された左右一対の便蓋連結部３５と、を備えている。この便蓋２３は、伏せ状態（図示せず）となる位置であって便器部１１及び便座２２の上方を覆う閉位置と、起立状態となる位置である開位置との間で回動自在に設けられている。具体的には、便蓋連結部３５が、便座２２の基端部の便座連結部３０に設けられた左右一対の第２支持部３６に、第２ピポッド３７を介して軸支されている。左右の便蓋連結部３５は、装置本体２１の側面２４ａの外方にそれぞれ位置していると共に、便蓋２３が開位置に位置した状態においては、便蓋連結部３５は、装置本体２１の対峙面２８ａの左右の縁よりも後方に位置する。この構造により、便蓋２３が開状態のときには、対峙面２８ａの左右の縁よりも便蓋連結部３５全体の方が、ボウル１４の上開口１３から離間した状態となる。ここで、第１支持部３１、第１ピポッド３２、第２支持部３６、第２ピポッド３７は、同一軸心上に配設されている。
【００３２】
このような構成において、便座２２及び便蓋２３を開いた状態での男性の小用の際等に、ボウル１４から汚水が対峙面２８ａに跳ねる等して対峙面２８ａが汚れた場合には、便座２２及び便蓋２３を開状態とすることで、使用者等が対峙面２８ａを清掃することができる。
【００３３】
このとき、本実施形態では、便座２２の便座連結部３０が装置本体２１のカバー部材である筐体２４の側面２４ａの側方に配置されていることにより、便座連結部が装置本体の対峙面に設けられている場合に比べて装置本体２１の対峙面２８ａをより露出させることができるので、装置本体２１の対峙面２８ａを容易に掃除することができ、便座装置３の清潔な状態をより容易に維持することができる。
【００３４】
また、本実施形態では、便座２２が開状態のときには、対峙面２８ａの左右の縁よりも便座連結部３０全体の方が、ボウル１４の上開口１３から離間している（後方に位置している）ことにより、ボウル１４から跳ねた汚水が便座連結部３０にかかることを対峙面２８ａによって抑制することができる。したがって、便座装置３の清潔な状態をより容易に維持することができる。
【００３５】
また、本実施形態では、便蓋２３の便蓋連結部３５が装置本体２１のカバー部材である筐体２４の側面２４ａの側方に配置されていることにより、便蓋連結部が装置本体の対峙面に設けられている場合に比べて装置本体２１の対峙面２８ａをより露出させることができるので、装置本体２１の対峙面２８ａを容易に掃除することができ、便座装置３の清潔な状態をより容易に維持することができる。
【００３６】
また、本実施形態では、便蓋２３が開状態のときには、対峙面２８ａの左右の縁よりも便蓋連結部３５全体の方が、ボウル１４の上開口１３から離間している（後方に位置している）ことにより、ボウル１４から跳ねた汚水が便蓋連結部３５にかかることを対峙面２８ａによって抑制することができる。したがって、便座装置３の清潔な状態をより容易に維持することができる。
【００３７】
また、本実施形態では、便座２２と便蓋２３との回動軸心が同一直線上に位置していることにより、便座連結部３０と便蓋連結部３５との前後を共に露出させることができるので、便座連結部３０と便蓋連結部３５とを容易に掃除することができ、便座装置３の清潔な状態をより容易に維持することができる。
【００３８】
また、本実施形態では、支軸である第１ピポッド３２に配線３３が配索されていることにより、美観の向上が図られる。
【００３９】
また、本実施形態では、対峙面２８ａと傾斜面２７ａとの接続部が滑らかな曲面で形成されていることにより、対峙面２８ａと傾斜面２７ａとの接続部に汚れが溜まり難いと共に、その接続部を雑巾などで拭き掃除するときには、雑巾などがその接続部にフィットし易いので、その接続部の汚れを拭き掃除で容易に落とすことができる。
【００４０】
[第２の実施形態]
次に、本発明の第２の実施形態を図６及び図７に基づいて説明する。なお、前述した実施形態と同じ部分は、同一符号で示し説明も省略する（以降の実施形態でも同様）。図６は、本実施形態にかかる便器装置を示す斜視図、図７は、便器装置を示す分解斜視図である。
【００４１】
本実施形態は、図６及び図７に示すように、便器装置１Ａにおいて、便蓋２３Ａが便座２２Ａを介さずに、単体で装置本体２１Ａに取り付けられている点が第１の実施の形態に対して異なる。具体的には、装置本体２１Ａにおける筐体２４Ａの筐体本体２５Ｂにおいて、第２ピポッド３７を介して便蓋２３Ａを回動自在に保持する第２支持部３６Ｂが、第１支持部３１の後方に設けられている。
【００４２】
このような構成においても、前述した実施形態と同様に、便座連結部が装置本体の対峙面に設けられている場合に比べて装置本体２１Ａの対峙面２８ａをより露出させることができるので、装置本体の対峙面２８ａを容易に掃除することができ、便座装置３Ａの清潔な状態をより容易に維持することができる。
【００４３】
[第３の実施形態]
次に、本発明の第３の実施形態を図８に基づいて説明する。図８は、本実施形態にかかる便座装置を示す斜視図である。
【００４４】
本実施形態は、前述した実施形態のいずれにも適用可能であるが、図８では、第２の実施形態に対して適用された例が示されている。
【００４５】
本実施形態は、便器装置１Ｂにおいて、便座装置３Ｂ全体がユニット化されて便器２Ｂに対して別体となっている点が前述した実施形態に対して異なる。具体的には、前部カバー２６Ｂが、便器２Ｂのリム部１７Ｂとは独立して設けられており、この前部カバー２６Ｂが筐体本体２５Ｂに固定されて筐体２４Ｂが構成されている。そして、このようにユニット化された便座装置３Ｂは、便器２Ｂの後部に配設されている。
【００４６】
このような構成においても、前述した実施形態と同様に、便座連結部が装置本体の対峙面に設けられている場合に比べて装置本体２１Ｂの対峙面２８ａをより露出させることができるので、装置本体の対峙面２８ａを容易に掃除することができ、便座装置３Ｂの清潔な状態をより容易に維持することができる。
【００４７】
なお、本発明は、本実施形態に限ることなく本発明の要旨を逸脱しない範囲で他の実施形態を各種採用することができる。
【図面の簡単な説明】
【００４８】
【図１】本発明の第１の実施形態にかかる便器装置を示す斜視図である。
【図２】本発明の第１の実施形態にかかる便器装置を示す分解斜視図である。
【図３】本発明の第１の実施形態にかかる便座装置を示す正面図である。
【図４】本発明の第１の実施形態にかかる便座装置を示す分解正面図である。
【図５】本発明の第１の実施形態にかかる便座装置の第１ピポッド部分を示す正面断面図である。
【図６】本発明の第２の実施形態にかかる便器装置を示す斜視図である。
【図７】本発明の第２の実施形態にかかる便器装置を示す分解斜視図である。
【図８】本発明の第３の実施形態にかかる便座装置を示す斜視図である。
【符号の説明】
【００４９】
２      便器
２Ｂ    便器
３      便座装置
３Ａ    便座装置
３Ｂ    便座装置
１３    上開口
１４    ボウル
２０    局部洗浄装置
２１    装置本体
２１Ａ  装置本体
２１Ｂ  装置本体
２２    便座
２２Ａ  便座
２３    便蓋
２３Ａ  便蓋
２４    筐体（カバー部材）
２４ａ  側面
２４Ａ  筐体（カバー部材）
２４Ｂ  筐体（カバー部材）
２８ａ  対峙面
３０    便座連結部
３３    配線
３２    第１ピポッド（支軸）
３５    便蓋連結部
【図１】
2007259921.tif 000003
【図２】
2007259921.tif 000004
【図３】
2007259921.tif 000005
【図４】
2007259921.tif 000006
【図５】
2007259921.tif 000007
【図６】
2007259921.tif 000008
【図７】
2007259921.tif 000009
【図８】
2007259921.tif 000010